(57)【要約】      （修正有）【課題】空調システムＨＴＴＰインタフェース仕様（ＳＢＣ）標準プロトコル対応の上位装置からメーカ独自空調ネットワークに接続する空調機を監視制御可能にし、メーカフリーの空調監視制御システムを安価に提供する。【解決手段】ＳＢＣプロトコルを搭載した上位装置とメーカ独自の空調ネットワーク上の空調機を中継するプロトコル変換アダプタで、空調ネットワークに存在する空調機を検出してその運転状態を取得しデータベース化、上位装置からのＳＢＣ空調機情報取得要求を受信して、該当する空調機情報をデータベースから読出してＳＢＣプロトコルフォーマットに変換し上位装置に送信する手段と、上位装置からのＳＢＣ空調機制御要求を受信して、該制御要求を空調機ネットワークの制御データに変換して該当空調機に送信する手段を有する。【選択図】図３
2014194309.tif 000002
【特許請求の範囲】
【請求項１】
ネットワークを介して空調機の遠隔監視制御を行う管理装置と、空調通信網に接続した複数の空調機と、前記管理装置と前記空調機とを中継する変換アダプタからなる空調システムにおいて、
前記変換アダプタは、
前記ネットワークを介して前記管理装置とデータを送受信するネットワーク通信部と、
前記空調通信網を介して前記空調機と前記空調機の状態取得および制御のためのデータを送受信する空調機通信部と、
前記空調通信網に接続された前記空調機の室外機と室内機の空調通信網アドレスと、前記室内機のリモコングループに設定されたリモコングループ番号と、前記リモコングループの管理アドレスと、を格納した接続管理テーブルと、前記空調機から取得した前記空調機の状態情報を格納した空調機データベースと、を記憶するメモリと、
前記ネットワーク通信部と、前記空調機通信部と、前記メモリと、を制御し、前記ネットワーク通信部が前記空調機の状態取得要求を受信した場合に、前記管理アドレスに基づき取得した前記空調機データベースから前記空調機の前記状態情報を前記ネットワーク通信部により送信し、前記ネットワーク通信部が前記空調機の制御要求を受信した場合に、前記管理アドレスから特定した制御すべき室内機リモコングループに属する室内機を宛先として制御要求コマンドを前記空調機通信部により送信する制御部と、を有する、
ことを特徴とする空調システム。
【請求項２】
請求項１に記載の空調システムにおいて、前記変換アダプタは、前記管理装置の監視制御をリモコングループ単位で行うか室内機単位で行うかを選択する認識単位指定部を有し、
前記制御部は、前記認識単位指定部において認識単位が室内機単位で行うことが選択されている場合は、前記接続管理テーブルにおける前記室内機に管理装置の管理アドレスを設定する、ことを特徴とする空調システム。
【請求項３】
請求項１に記載の空調システムにおいて、前記変換アダプタは、任意の室内機の空調機通信網アドレスを認識開始ＩＤとして指定する認識開始ＩＤ指定部を有し、
前記制御部は、前記認識開始ＩＤ指定部で指定された前記空調機通信網アドレスを持つ前記室内機が属する前記リモコングループ以上の前記リモコングループ番号を有するリモコングループに対してのみ、リモコングループ番号の昇順に通信に必要な管理アドレスを設定する、ことを特徴とする空調システム。
【請求項４】
請求項２に記載の空調システムにおいて、前記変換アダプタは、
任意の室内機の空調機通信網アドレスを認識開始ＩＤとして指定する認識開始ＩＤ指定部と、
装置との中継処理を行うべきリモコングループまたは空調室内機の個数を指定する認識数指定部と、を有し、
前記制御部は、
前記設定認識単位指定部によりリモコングループ単位が指定されている場合は、前記認識開始ＩＤ指定部で指定された空調機通信網アドレスを持つ室内機が属するリモコングループからリモコングループ番号順に、認識数指定部により指定された個数のリモコングループに対し通信に必要な管理アドレスを設定し、
前記設定認識単位指定部により室内機単位が指定されている場合は、前記認識開始ＩＤ指定部で指定された空調機通信網アドレスを持つ室内機から空調機通信網アドレスの昇順に、認識数指定部により指定された個数の室内機に対し通信に必要な管理アドレスを設定する、ことを特徴とする空調システム。
【発明の詳細な説明】
【技術分野】
【０００１】
本発明は、通信網を介して接続された複数の空調機を操作可能な空調機制御装置及びそれを用いた空調システムに関する。
【背景技術】
【０００２】
特許文献１には、パソコン及び室内機と空調ネットワークを介して通信可能な空調機制御装置に、パソコンの識別番号（ＩＰアドレス）とパソコンで操作したい室内機の識別番号とを予め登録して対応付けておき、利用者がパソコンで空調機制御装置にアクセスしたときに、空調機制御装置がＩＰアドレスを確認し、登録済パソコンであれば、そのパソコンに対応付けられた室内機の操作画面をパソコンに表示し、利用者は操作画面を用いて室内機の操作を行うことが可能な空調機制御装置を提供し、情報処理端末で利用者に関係なく室内機の操作を可能にするシステムが開示されている。
【先行技術文献】
【特許文献】
【０００３】
【特許文献１】２００９−１３３５５０号公報
【発明の概要】
【発明が解決しようとする課題】
【０００４】
しかし、従来のシステムは空調機の通信網には標準規格が無いなどの事情から、全てメーカ独自の制御装置やアプリケーションソフトで構成されるため、メーカが異なる空調機同士は同じアプリケーションソフトで制御できない。例えば特許文献１のシステムでは、ユーザは設置している空調機のメーカ毎のアプリケーションソフトをパソコンや携帯電話にインストールして空調機毎に使い分けなくてはならない不便とコストパフォーマンスの悪さがあり、提供メーカも汎用性が無いシステムは製造コストが高くなる欠点があった。本発明の目的は、空調システムＨＴＴＰインタフェース仕様標準プロトコル（以降、ＳＢＣプロトコルと呼ぶ）対応の上位装置からメーカ独自空調ネットワークに接続する空調機を監視制御可能にし、メーカフリーの空調監視制御システムを安価に提供可能とすることにある。
【課題を解決するための手段】
【０００５】
上記目的を解決するために、例えば特許請求の範囲に記載の構成を採用する。
【発明の効果】
【０００６】
ユーザが空調機の遠隔制御システムを比較的安価に構築することが出来るようになる。
【図面の簡単な説明】
【０００７】
【図１】本発明の一実施例である空調制御システムを設置した建屋の例である。
【図２】本発明の一実施例である空調制御システムの接続図の例である。
【図３】本発明の空調アダプタのハードウェア構成図の例である。
【図４】本発明の空調通信網で相手先の機を特定して通信するための電文構成図の例である。
【図５】本発明の空調アダプタの本体設定モードプログラムのフローチャートの例である。
【図６】本体設定モードでユーザが設定操作を行う際の表示パネル画面の例である。
【図７】本体設定モードでユーザが設定操作を行う際の表示パネル画面の例である。
【図８】本発明の空調アダプタの通常通信モードプログラムのフローチャートの例である。
【図９】本発明の空調アダプタの接続確認プログラムのフローチャートの例である。
【図１０】空調アダプタが構築する空調機データベースの構成例である。
【図１１】接続管理テーブルとリモコングループ単位の管理アドレス番号設定例である。
【図１２】接続管理テーブルと室内機単位の管理アドレス番号設定例である。
【図１３】接続管理テーブルと室内機単位の管理アドレス番号設定例である。
【図１４】上位管理装置とＳＢＣプロトコルで通信する際の通信シーケンスの例である。
【図１５】上位管理装置から空調アダプタに送られる空調機情報取得要求コマンドの電文例である。
【図１６】空調アダプタが上位管理装置に送る空調機情報取得応答コマンドの電文例である。
【図１７】上位管理装置から空調アダプタに送られる空調機設定要求コマンドの電文例である。
【図１８】空調アダプタが上位管理装置に送る空調機設定応答コマンドの電文例である。
【発明を実施するための形態】
【０００８】
図１と図２は本発明の一実施例である空調システムの概観を示す図である。図１は空調システムを建屋に配置した例としてシステム構成を表し、天井設置型の空調室内機１が、会議室に６個、受付に１個、サーバルームに２個、事務所に４個が配置されている。そしてこれらの空調室内機に冷媒を送る複数室内機を接続できるマルチ型の空調室外機２が屋外に設置されている。また、室内機にはユーザが空調機を運転させるための壁リモコン３が付属している。
【０００９】
建屋内の全ての電気機やシステムの電力管理を行う上位管理装置であるビルコントローラ５が１Ｆにある受付に設置され、ビルコントローラ５から空調機を遠隔監視制御するために、ビルコントローラと空調機の双方と通信し両者を結ぶ空調アダプタ４が会議室と事務所の一角に設置されている。
【００１０】
なお、重複になるため図１には示していないが、この建屋の３Ｆ以上の階にも、同様の空調システムが設置され、ビルコントローラ５から空調アダプタ４を経由して遠隔監視制御可能になっている。
【００１１】
図２は、図１で壁内に埋め込まれている配管や通信網など本空調システムの機同士の接続状態を示す図で、室内機と室外機は冷媒配管６によって結ばれており、また、室内機と室外機と空調アダプタは空調通信網７で結ばれ、空調アダプタ４とビルコントローラ５はＩＰネットワーク８で接続される。
【００１２】
本システムで空調機と空調アダプタが接続する制御通信網７は、物理層からアプリケーション層にいたるまで全てメーカ独自の仕様により通信する空調機専用ネットワークである。一方、空調アダプタとビルコントローラは有線ＬＡＮで（社）日本冷凍空調工業会インタフェース委員会が空調システムＨＴＴＰインタフェース仕様共通化ガイドに定めたプロトコル（以下ＳＢＣプロトコルと称する）を使用して通信する。２つの異なるネットワーク間を、双方に接続する空調アダプタ４が中継する。
【００１３】
図３は、空調アダプタ４のハードウェア構成図である。本例の空調アダプタ４は、ワンチップマイコンであるＣＰＵ４０、ユーザが設定や指示を行ったり現在の室内機の運転状態を参照したりするための表示用パネルと入力キーからなるユーザ入出力部４１、空調機通信網７で結ばれた室内機や室外機との通信を行う空調通信網ＩＦ部４２、ビルコントローラ５とＳＢＣプロトコルで通信するためのＬＡＮ通信ＩＦ部４３、ＯＳや制御プログラム及び各種データを保持するメモリディスク部４４、ＣＰＵ４０が制御プログラムを実行するためのワークメモリ領域であるＲＡＭ部４５、起動するアプリケーションや空調アダプタの設置情報を指定するディップスイッチ等からなる設定部４６、電源を管理する電源部４７で構成される。
【００１４】
メモリディスク部４４には、ＯＳや各部のドライバソフトウェア、上位装置の指示に従って空調機制御を行うアプリケーションプログラムや、アプリケーションプログラムが収集した情報データファイルが格納されている。本発明のＳＢＣプロトコル通信や空調機通信のためのプログラムも該メモリディスク部４４に格納されており、ＣＰＵ４０は、設定部４６で指定されたアプリケーションプログラムをメモリディスク４４から読み出してＲＡＭ４５に展開して実行し、ビルコントローラ５とのＳＢＣ通信や空調通信処理が行われることになる。
【００１５】
本システムでは、空調通信網に接続する室内機と室外機、及び空調アダプタは、空調通信網上で各々の機を識別し特定するためのＩＤ番号を、各々の機に接続のディップスイッチにて設定する手段を有している。このＩＤ番号は空調通信網で送信元や送信先を示す通信アドレスとして使用される。室外機の場合は、本例では一つの空調通信網に最大６４台接続可能なため、１〜６４までの数値を他の室外機と重複しないよう各々ＩＤ番号として設定する。室内機は、本例では一つの室外機（冷媒系統）に最大６４台の室内機が接続可能なため、同じ室外機に接続している室内機同士で番号が重ならないように１〜６４の値を設定し、冷媒供給元の室外機のＩＤ番号と合わせてディップスイッチで設定する。
【００１６】
空調アダプタのＩＤは、本システムの場合一つの空調通信網に最大８台空調アダプタが接続可能なため、１〜８のＩＤ番号を他の空調アダプタと重ならないように、設定部４７のディップスイッチで設定する。
【００１７】
なお、本システムではＩＤ番号の設定にディップスイッチを用いているが、番号の入力設定を行う装置および方法はいかなるものでもかまわない。
【００１８】
上記のようにして設定されたＩＤ番号は、空調通信網における通信アドレスとして使用される。空調通信網で送受信されるパケットフォーマットを図４に示す。空調通信網で送受信されるパケットは、該パケットが何の要求・応答・通知なのかを示す識別コード（１００欄）と、送信元系統ＩＤ（１０１欄）、送信元機ＩＤ（１０２欄）、送信先系統ＩＤ（１０３欄）、送信先機ＩＤ（１０４欄）、パケットデータ長（１０５欄）の情報を含んだ共通ヘッダの後ろに、各々のデータ種別に応じた情報データ（１０６欄）が付加され、最後にチェックコード（ＢＣＣ）（１０７欄）が付加されている形態である。
【００１９】
送信先／送信元の機を指定する空調通信網のアドレスとして、系統ＩＤと機ＩＤのセットを使用している。具体的には、送信先／送信元が室内機の場合、系統ＩＤ欄（１０１欄／１０３欄）には、該室内機に冷媒を提供している室外機のＩＤ（本システムでは１〜６４のいずれかの値となる）を、機ＩＤ欄（１０２欄／１０４欄）には室内機のＩＤ（本システムでは１〜６４のいずれかの値となる）を入れる。
【００２０】
送信先／送信元が室外機の場合、系統ＩＤ欄に室外機ＩＤ、機ＩＤ欄は０固定である。送信先／送信元が空調アダプタの場合、系統ＩＤ欄が「２０２」固定で機ＩＤ欄にアダプタのＩＤ番号（本システムでは１〜８）が入る。これにより、空調通信網上で各々の機を特定してデータ送受信を行う。
【００２１】
また、送信先の系統ＩＤと機ＩＤが「２５５」の場合は一斉同報（ブロードキャスト）である。
【００２２】
上記のように実際のＩＤは単純な番号だが、以降の説明の便宜上、図２では、各機において設定されたＩＤ番号を、１Ｆ大会議室の６台の室内機はｉ１〜ｉ６、１Ｆ受付事務所の室内機はｉ７、２Ｆサーバルーム２台の室内機はｉ８とｉ９、２Ｆ事務所の４台の室内機はｉ１０〜ｉ１３、２台の室外機（冷媒系統）はｏ１とｏ２、空調アダプタはａ１とａ２と、種類別にｉ，ｏ，ａを付けて表記している。また、以降の説明で、冷媒系統ＩＤと機ＩＤのセット（空調通信網のアドレス）を、ハイフン（−）で繋いで表現する。例えば、１Ｆ受付事務所の室内機の空調通信網アドレスは「ｏ１−ｉ７」のように記載する。
【００２３】
一方、空調アダプタがビルコントローラとＳＢＣプロトコルで通信するために必要な情報は、空調アダプタの設定用のアプリケーションプログラムを起動して設定する。本例の空調アダプタは、ＳＢＣプロトコル通信と空調機通信の２つの異なる通信を中継して、ビルコントローラによる空調機監視制御を実現する通常通信モードと、該空調機監視制御を実施するための各種の通信設定を行う設定モードの少なくとも２種類の動作モードのためのアプリケーションプログラムを有しており、どちらを実行するかは、電源ＯＮ時の設定部４７の動作モード設定用ディップスイッチの値により指定できる。
【００２４】
動作モード設定用ディップスイッチを１（ＯＮ）にして電源をＯＮすると、ＣＰＵ４０は、設定モードのアプリケーションプログラムをメモリディスク４４から読み出してＲＡＭ４５に展開して実行する。図５は、本体設定モードでユーザが各種設定を行う登録処理を示すフローチャートである。以下その手順を述べる。
【００２５】
設定モードプログラムが起動すると、まず、ＣＰＵはメモリディスク部４４から既に登録されている設定情報を読み出して（ステップ１０００）ユーザ入出力部４１の表示パネルに表示し、ユーザが設定項目を選択して入力する設定画面を作成する（ステップ１００１）。
【００２６】
設定項目は、ＬＡＮ通信情報と空調機管理情報の２種類に分かれ、ＬＡＮ通信情報としては、上位装置とＬＡＮ（ＩＰプロトコル）で接続通信する際のＩＰアドレス・サブネットマスク・デフォルトゲートウェイアドレスと、通信する上位装置を特定するか否かのアドレスフィルタリングあり／なし設定と、特定する場合の上位装置のＭＡＣアドレスをフィルタリングアドレスとして３つまで指定する。空調機管理情報としては、認識開始系統ＩＤ、認識開始室内機ＩＤ、管理数、室内機認識単位と空調機接続確認の「実施」／「省略」である。図６はＬＡＮ通信情報の設定画面例、図７は空調機管理情報の設定画面例である。なお、設定した項目と値の詳細な内容については後の通常通信モードの動作で説明する。
【００２７】
工場出荷後初めて使用する場合などのように、まだ何も設定登録されていない場合は、図６や図７のように全て０またはデフォルト値が一覧として表示される。ステップ１００２でユーザの入力キー操作待ち状態となり、ユーザが入力キーを使って現在の設定を変更する項目を選択指定すると、ステップ１００３で、指定した項目の現在設定数値が変更指示の入力待ち状態になる。ステップ１００４でユーザが△キーまたは▽キーを押すたびに現在数値が増加または減少するので、所望の値になったところで決定キーを押すと、ステップ１００５でＣＰＵは、該新しく入力された数値を新設定値としてメモリディスク部４４に書き込む。ユーザは、全ての設定項目が所望の数値になるまでステップ１００２〜１００５を繰り返す。
【００２８】
全ての項目を設定し終わったら電源をＯＦＦし、動作モード設定用ディップスイッチを０（ＯＦＦ）にして再び電源をＯＮすると、ＣＰＵ４０は、通常通信モードの空調制御監視プログラムをメモリディスク４４から読み出してＲＡＭ４５に展開し、実行する。図８と図９は通常通信モードで行う空調制御監視の処理の流れを示す図である。以下、処理の内容を説明する。
【００２９】
まず、ＣＰＵは上記本体設定モードで設定したＬＡＮ通信情報を読み出し（ステップ２０００）、Ｅｔｈｅｒｎｅｔ（登録商標）ドライバとＴＣＰ／ＩＰ通信モジュールを使って指定されたＩＰアドレス・サブネットマスク・デフォルトゲートウェイでＬＡＮポートを開き上位装置との通信を可能な状態にする（ステップ２００１）。続いて空調機通信ドライバで空調機通信網のポートを開き、ディップスイッチで指定された自機のＩＤを使って、空調機との通信を可能な状態にする（ステップ２００２）。そしてステップ２００３で、上記本体設定モードで設定した空調機管理情報を読出し、空調機接続確認の設定が「実施」だった場合はステップ２００４の接続確認処理を行い、「省略」だった場合はステップ２００５へ進む。
【００３０】
図９は、ステップ２００４の接続確認の処理の流れを示すフローチャートである。
接続確認処理は、空調機通信網に現在接続している全ての室内機・室外機の存在と接続形態を調べ、該接続空調機の情報を保持する空調機情報データベースをワークメモリ内に構築し、また、接続された空調機のうち、どの機を自分が管理するのかを認識する処理である。
【００３１】
図１０は空調機情報データベースの構成図である。空調機情報データベースは、空調機通信網に接続可能な室内機と室外機の台数分のＩＤ毎に、接続状態、基本情報、設定情報、センシング情報を羅列した、システムの接続空調機の最新情報を格納したデータベースである。接続状態は該当ＩＤの室内機／室外機が接続しているか否かの情報、基本データは型式や冷媒接続構成、リモコングループ構成などの変化しない情報であり、接続確認のシーケンスでは、主にこの２つの情報を取得し、上位装置と空調機の中継を行うための準備を行う。設定データは現在設定されている運転動作情報で上位装置からの指令やユーザのリモコン操作により変更される。センシング情報は各機が持つセンサの測定値情報であり逐次変化する。
【００３２】
空調アダプタは、接続確認終了後、常時設定データとセンシングデータが最新の情報になるよう空調機通信網経由で各空調機からデータを収集し、上位装置から空調機情報取得の要求があると空調機データベースの該当の情報を読み出して応答し、また上位装置から運転制御の要求があると空調機データベースの該当の情報と照らし合わせて、運転動作変更の必要があれば該当空調機に空調機通信網を介して指令電文を送る処理を繰り返す通常動作を行うことになる。
【００３３】
接続確認の手順は、まず、ステップ２１００でワークエリアに最大接続機数分（ここでは室外機６４、室内機６４×６４個分）の空調機の情報格納領域を確保し、インデックスとなるＩＤ番号別にデータ格納エリアを割り振り、接続状態を「未接続」に、他のデータ値も全て０に初期化して空調機データベースファイルを構築する。そして、ステップ２１０１で接続確認相手の空調通信網アドレスを室外機１すなわち系統ＩＤ（図９ではＯＩＤ）＝１、送信回数に１をセットする。ステップ２１０２で、セットされた接続確認相手の空調通信網アドレスに宛てて、室外機の型式やサイズ、接続している室内機ＩＤのリストなどの基本構成情報を室外機から取得するための室外機基本情報要求電文を作成し送信する。ステップ２１０３で送信先の室外機からの応答を設定されたタイムアウト時間（本例では１秒）待ち、応答があったらステップ２１０６に進み、図１０の空調機データベースの室外機の該当ＩＤ情報データエリア（ここでは室外機１のデータエリア）の接態を「接続」とし、受信した室外機基本情報を空調機データベースのフォーマットに変更して書き込む。
【００３４】
ステップ２１０３で１秒待っても応答が返らなかった場合は、ステップ２１０４に進んで送信回数が設定された最大送信回数（本例では３回）より小さかったらステップ２１０５で送信回数を１インクリメントし、ステップ２１０３に戻って室外機基本情報要求の電文を再送信する。ステップ２１０４とステップ２１０５で再送を繰り返し、３回送信しても応答が無かった場合は、そのＩＤを持つ室外機は存在しないものと判定してステップ２１０６を飛ばしてステップ２１０７に進み、次の機の（この場合は室外機２の）基本情報の取得を行う。なお、タイムアウト時間や最大送信回数は、任意に設定可能である。
【００３５】
ステップ２１０７と２１０８で、空調機通信網に接続可能な室外機台数分（本システムでは６４）室外機から基本情報の取得を行う処理を繰り返して、空調機データベースの全ての室外機接続状態と基本情報のデータが、実際のシステムの情報を反映した値となる。
【００３６】
室外機の基本情報取得が終了したら、同様にしてステップ２１０９〜２１１６で室内機の基本情報取得を行う。前記取得した室外機の基本情報には、該室外機に接続する室内機のＩＤ一覧情報が含まれている。そのため、室内機の基本情報取得は、室外機の場合のように取りうる全ての宛先に基本情報取得要求を送るのではなく、接続している室内機のみ基本情報取得要求を送り（ステップ２１１０，２１１１）、応答があれば該当ＩＤの室内機データの接続状態を接続に、基本データに取得した情報を書き込む処理を繰返す。なお、室内機から最大送信回数回連続して応答が無くタイムアウトした場合は、接続確認を中止して設定エラー処理を行うが本発明とは関連しないためこの説明は省く。
【００３７】
接続している全ての室内機の基本情報を取得し終えたら、ステップ２１１８〜２１２１で、該基本データを整理して自身が管理するべき室内機と室外機を認識し、上位装置と通信するための上位通信アドレスを設定する。本システムでは、管理すべき室内機の認識単位として、リモコングループ単位あるいは室内機単位のどちらかを選択できる。
【００３８】
リモコングループは、一つのリモコンに複数の室内機が接続され、ユーザのリモコン操作により該複数の室内機が共通の運転設定となる設置形態となっている場合に、該一つのリモコンに接続した複数個の室内機群を示す用語である。各室内機は設置時に、リモコングループを成している他の室内機のＩＤをリモコンから登録するようになっており、このリモコングループ情報は、接続確認時に取得する室内機の基本情報に含まれている。
【００３９】
室内機単位かリモコングループ単位かのどちらの認識単位を使用するかは、前記本体設定モードの設定項目「室内機認識単位」で予め設定しておく。また、設定項目の「認識開始系統ＩＤ」と「認識開始機ＩＤ」「認識範囲数」は、該アダプタで管理対象として認識をする室内機の範囲を示す設定値である。
【００４０】
認識単位が室内機単位なら、認識開始系統ＩＤ−認識開始機ＩＤの空調アドレスを持つ室内機を１台目として、続くＩＤ番号の昇順に、認識範囲数台分の室内機を自身の管理する機として認識する。ＩＤが飛ぶ場合はその次に大きいＩＤの室内機を認識する。
【００４１】
認識単位がリモコングループ単位なら認識開始系統ＩＤ−認識開始機ＩＤの空調アドレスを持つ室内機を含むリモコングループから、ＩＤ番号の若い室内機を含むリモコングループを認識範囲個数だけ自分の管理対象として認識する。
【００４２】
具体的には、ステップ２１０９〜２１１６で取得した各室内機の基本情報に含まれているリモコングループ情報を読み取り、室内機の番号の若い順からリモコングループに認識区分上の番号を振って、図１１のような接続管理テーブルを作成する（ステップ２１１８）。そして、認識単位がリモコングループの場合はステップ２１２０に進み、認識開始系統ＩＤと認識開始機ＩＤの機からＩＤの若い順に認識範囲数分のリモコングループ分の室内機を認識し、あらためて上位管理装置からの監視制御指示を受けて自身が管理するための管理番号を振る。
【００４３】
認識単位が室内機単位の場合は、ステップ２１２１で開始アドレスを有する室内機からアドレス昇順に室内機を認識範囲数台分選び、管理番号を振るのみである。
【００４４】
例えば、図１の１Ｆに設置された７台の室内機が、ｉ１とｉ２の室内機が１つ目のリモコンに、ｉ３とｉ４の室内機が２つ目のリモコンに、ｉ５とｉ６の室内機が３つ目のリモコンに、ｉ７が４つ目のリモコンに接続されている場合、建屋１Ｆの室外機ｏ１に接続する室内機は４つのリモコンクループのどれかに属することになり、図１１のように各々グループＮｏ０１〜０４として番号付けされる。
【００４５】
そして、認識開始系統ＩＤがｏ１、認識開始機ＩＤがｉ２で、認識範囲が２であった場合、認識単位がリモコングループ単位なら、ｏ１−ｉ２の室内機を含んだリモコングループ１、及び、ｏ１−ｉ２の次に若い番号ｏ１−ｉ３の室内機が所属するリモコングループ２の２グループが管理対象として認識される。この場合、実際に上位からの指示でアダプタが監視制御する室内機はｉ１〜ｉ４である。
【００４６】
前例で、認識単位が室内機単位なら、室内機ｉ２とｉ３が本アダプタの管理すべき対象として認識される。
【００４７】
以下の説明の便宜上、本システムでは、１Ｆにあるアダプタａ１は、認識開始系統ＩＤ＝ｏ１、認識開始機ＩＤ＝ｉ１、認識範囲数＝４、室内機認識単位＝リモコングループ単位と設定され、２Ｆのアダプタａ２は、認識開始系統ＩＤ＝ｏ２、認識開始機ＩＤ＝ｉ１０、管理台数＝４、室内機認識単位＝室内機単位と設定しているものとする。
【００４８】
上記の例では、図１２が１Ｆ設置のアダプタ１の管理空調機と管理アドレス番号であり、図１３が２Ｆ設置のアダプタ２の管理空調機と管理アドレス番号になる。
【００４９】
以上のような接続確認処理により、各アダプタが管理すべき空調機を認識して、上位管理装置であるビルコントローラからの空調機監視制御が可能になる。
【００５０】
通常、ビル管理用の空調機通信網は一度設置すると殆ど変更する必要が生じないため、この空調機接続確認も最初の設置時に一度行えば、後は建屋の空調機設置リニューアルを行わない限り実施する必要はない。そのため通常は省略することになる。
【００５１】
空調機データベースと接続管理テーブルは、逐次メモリディスクにバックアップ保存されるため、電源ＯＮ時に接続確認を省略した場合は、図８ステップ２００５で前回電源ＯＦＦする前にメモリディスクに保存されていた空調機データベースと接続管理テーブルがワークエリアに読み出されて使用される。
【００５２】
なお、接続確認が終了するまでの間、上位管理装置から何らかの要求コマンドを受信した場合は、エラー応答を返信する。
【００５３】
また、上位装置と通信するための上位通信アドレスを設定は、接続管理テーブルの作成または読み出し後、最初の上位管理装置からのＳＢＣ要求を受けた時に設定してもよい。
【００５４】
接続確認または保存データ読み出しが終了すると、ステップ２００６で、上位管理装置からの監視制御指示の受信状況をチェックする。本システムで採用しているＳＢＣプロトコルでは、上位管理装置とアダプタ間で送受信する電文はＨＴＴＰ形式となっており、アダプタは上位装置へ自発的に電文を送ることは無く、常に上位装置からの要求コマンド電文を受け、その要求に対する応答コマンドの返信のみ行う。
【００５５】
図１４は、上位管理装置とアダプタ間の通信フロー及び、要求コマンドと応答コマンドのＨＴＴＰヘッダ構成の概略図である。ＳＢＣプロトコルは、通信データ仕様としてデータパック形式とＸＭＬ形式の２種類の形式を定めており、本空調アダプタは、上位装置の送ってきた要求コマンドの形式と同じ形式で応答コマンドを作成し返信する。
【００５６】
なお、ステップ２００６のＬＡＮ通信受信では、前記設定モードでのアドレスフィルタリング設定が「あり」になっていた場合、上位装置からの要求コマンド電文受信の際に、そのＭＡＣアドレスが、設定されているフィルタリングＭＡＣアドレス１，２，３の何れかと一致する場合のみ、その電文を有効なものとして受信処理し、一致しなかった場合は該電文を受信しなかったものとして消去する。
【００５７】
上位管理装置は、接続されている空調機の機状態を取得する際は、図１５のような要求コマンドをアダプタに送信する。図１５は、アダプタ１に対して、接続している管理番号０〜１２７機の運転情報を要求しているＨＴＴＰ電文の例である。
【００５８】
ステップ２００６で受信したコマンドが、機状態取得の要求コマンドだった場合はステップ２００８に進み、状態情報を要求されたリモコングループの「運転／停止」「運転モード（送風／冷房／暖房／その他）」「設定温度」「故障状態」を空調機データベースから読み出して、図１６のようなデータの入った応答コマンド電文を作成し返信する。
【００５９】
図１６では、リモコングループ０〜３全て正常で、グループ０は２６℃、グループ１は２２℃、グループ２は２７℃の設定で冷房運転中、グループ４のみ運転停止の状態を返信している。なお、グループ４〜１２７は空調アダプタ１の管理下には存在しないため返信データが無い状態となっている。なお、図１５と図１６で｛｝で囲まれた部分は、データの意味を示すコメントである。
【００６０】
上位管理装置が図１５の要求コマンドを空調アダプタ２に送った場合、空調アダプタ２は認識単位が室内機のため、管理番号０，１，２，３に相当する室内機ｉ８，ｉ９，ｉ１０，ｉ１１の情報を空調機データベースから読み出して、図１６の形式の応答コマンドを作成し返信することになる。
【００６１】
上位装置が、例えば、電力供給の逼迫などを受けて、上記リモコングループ２の設定温度を省エネ対応のため２８℃に変更するなど設定を変更したい場合は、図１７のようなデータを持つ設定要求コマンドをアダプタに送信する。アダプタは、制御要求コマンドを受信した場合はステップ２００９に進み、要求コマンドの設定を行うための空調機通信網用の電文を作成し、空調機通信部から制御対象のリモコングループの室内機全てに対して送信する。つまり、図１７の要求コマンドを受けて室内機ｉ３とｉ４に、設定温度２８℃への変更指令が送信される。そして、ステップ２０１０で上位管理装置に、図１８のような設定成功の応答コマンドを送信する。
【００６２】
アダプタは、上位管理装置からの要求コマンド受信を待ちながら、一方で、空調機通信網をから空調機の最新情報を常時取得している。図１０の空調機データベースにおけるセンシングデータは、各空調機がセンサの値が変わった場合に自発的にセンシング変化通知を送信し、通知された値が格納される。設定情報はアダプタの取得要求に応じて返信されるため、ステップ２０１１で一定時間（本システムでは３０秒）毎に要求電文を各空調機に送信し、空調機の最新設定情報を収集する。
【００６３】
ステップ２０１３で、センシング変化通知や上記ステップ２０１１の応答電文の受信状況をチェックし、受信があればステップ２０１４で空調機データベース情報を変化値に従って更新する。
【００６４】
以上のようにしてステップ２００６から２０１４を繰り返すことにより、ＳＢＣプロトコルによる上位装置からの空調機遠隔監視制御が実現する。
【符号の説明】
【００６５】
１…室内機、２…室外機、３…リモコン、４…空調アダプタ、５…ビルコントローラ（上位監視装置）、６…冷媒配管、７…空調通信網、８…ＩＰネットワーク、６…冷媒配管、６…冷媒配管、４０…ＣＰＵ、４１…ユーザ入出力部、４２…空調通信ＩＦ部、４３…ＬＡＮ通信ＩＦ部、４４…メモリディスク、４５…ＲＡＭ、４６…設定部、４７…電源管理部
【図１】
2014194309.tif 000003
【図２】
2014194309.tif 000004
【図３】
2014194309.tif 000005
【図４】
2014194309.tif 000006
【図５】
2014194309.tif 000007
【図６】
2014194309.tif 000008
【図７】
2014194309.tif 000009
【図８】
2014194309.tif 000010
【図９】
2014194309.tif 000011
【図１０】
2014194309.tif 000012
【図１１】
2014194309.tif 000013
【図１２】
2014194309.tif 000014
【図１３】
2014194309.tif 000015
【図１４】
2014194309.tif 000016
【図１５】
2014194309.tif 000017
【図１６】
2014194309.tif 000018
【図１７】
2014194309.tif 000019
【図１８】
2014194309.tif 000020